(57)【要約】      （修正有）【課題】咄嗟の場合でも、確実に戸開延長釦を操作できるようにし、戸閉動作による戸と荷物との衝突を確実に回避できるとともに、不要な行き先階やかご呼びの登録による運転効率の低下を抑制できるエレベータの戸開延長装置を提供する。【解決手段】乗り場操作盤１に設けられた戸開延長釦４は、釦の表面を押すことにより閉成して戸開延長信号を出力する釦接点部４ａと、釦の中央部および周辺部を点灯するランプ部４ｂとを有する。そして、制御部６は、戸閉動作の開始時点で、ランプ部４ｂを駆動して釦の中央部を点灯させて、釦接点部４ａの戸開延長信号の入力可能状態とし、戸開延長信号の入力可能状態の間に戸開延長信号を入力すると、ランプ部４ｂを駆動して釦の周辺部を点灯させて、戸開時間を延長するように構成されている。【選択図】図１
2006168944.tif 000002
【特許請求の範囲】
【請求項１】
エレベータのかご内操作盤又は乗り場操作盤に設けられ、釦の表面を押すことにより閉成して戸開延長信号を出力する釦接点部および戸開延長操作可能状態を明示する第１点灯状態と戸開延長登録を明示する第２点灯状態とを有するランプ部を備えた戸開延長釦と、
エレベータ制御盤内に設けられ、上記釦接点部の戸開延長信号に基づいて戸開時間を延長する制御手段と、を備え、
上記制御手段は、
戸閉動作の開始時、かごの着床時および戸開動作の終了時のいずれかの時点で、上記ランプ部を駆動して第１点灯状態として、上記釦接点部の戸開延長信号の入力可能状態とし、
該戸開延長信号の入力可能状態の間に該戸開延長信号を入力すると、上記ランプ部を駆動して第２点灯状態として、戸開時間を延長するように構成されていることを特徴とするエレベータの戸開延長装置。
【請求項２】
上記第１点灯状態は、釦の中央部を点灯する状態であり、上記第２点灯状態は、釦の中央部に加えて、釦の周辺部をも点灯する状態であることを特徴とする請求項１記載のエレベータの戸開延長装置。
【請求項３】
エレベータのかご内操作盤又は乗り場操作盤に設けられ、釦の表面を押すことにより閉成して行き先階信号、かご呼び信号又は戸開延長信号を出力する釦接点部および行き先階と戸開延長表示とを又はかご呼び表示と戸開延長表示とを切り替え表示する表示部を有する操作釦と、
エレベータ制御盤内に設けられ、上記釦接点部の信号に基づいてエレベータの運行を制御する制御手段と、を備え、
上記制御手段は、
通常は、上記表示部を駆動して行き先階表示又はかご呼び表示を表示させて、行き先階信号又はかご呼び信号の入力可能状態とし、
行き先階信号又はかご呼び信号の入力可能状態の間に行き先階信号又はかご呼び信号を入力すると、行き先階又はかご呼びを登録し、
戸閉動作の開始時、かごの着床時および戸開動作の終了時のいずれかの時点で、上記表示部を駆動して行き先階表示又はかご呼び表示を戸開延長表示に切り換えて、上記戸開延長信号の入力可能状態とし、
上記戸開延長信号の入力可能状態の間に該戸開延長信号を入力すると、上記表示部を駆動して戸開延長表示の表示モードを変えて、戸開時間を延長するように構成されていることを特徴とするエレベータの戸開延長装置。
【請求項４】
上記戸開延長信号の入力可能状態の間に該戸開延長信号を入力した場合の戸開延長表示の表示モードの変更は、表示色又は輝度の変更、あるいは点灯表示と点滅表示との変更であることを特徴とする請求項３記載のエレベータの戸開延長装置。
【発明の詳細な説明】
【技術分野】
【０００１】
この発明は、かご内操作盤又は乗り場操作盤に設けられた戸開延長釦により戸開時間を延長するようにしたエレベータの戸開延長装置に関するものである。
【背景技術】
【０００２】
従来の戸開延長装置は、かご内操作盤に戸開延長釦および発光色の異なる複数の表示灯を設け、戸開延長釦を押している時間、あるいは押す回数に応じて戸開延長時間を設定し、戸開延長時間の設定長さや残り時間を表示灯の発光色を変えて利用者に報知するようにしていた（例えば、特許文献１参照）。
【０００３】
【特許文献１】特開平７−３１５７３５号公報
【発明の開示】
【発明が解決しようとする課題】
【０００４】
しかしながら、従来の戸開延長装置では、戸開延長釦が行き先釦、戸開釦および戸閉釦に隣接してかご内操作盤に設けられているので、例えば、かごに荷物を搬入したり、搬出している最中に戸の閉動作が始まってしまい、咄嗟に戸開延長釦を押すような事態が生じると、戸開延長釦を正確に押せない、という不具合があった。
このように、咄嗟の場合に、戸開延長釦を正確に押せないような事態が生じると、戸が閉まって荷物にぶつかり、荷物の損傷を発生させる恐れがあった。また、誤って行き先釦を押してしまい、不要な行き先階の登録が行われ、運転効率が低下する恐れがあった。
【０００５】
この発明は、戸開延長釦の存在を目視的にわかりやすくして、咄嗟の場合でも、確実に戸開延長釦を操作できるようにし、戸閉動作による戸と荷物との衝突を確実に回避できるとともに、不要な行き先階やかご呼びの登録による運転効率の低下を抑制できるエレベータの戸開延長装置を得ることを目的とする。
【課題を解決するための手段】
【０００６】
この発明によるエレベータの戸開延長装置は、エレベータのかご内操作盤又は乗り場操作盤に設けられ、釦の表面を押すことにより閉成して戸開延長信号を出力する釦接点部および戸開延長操作可能状態を明示する第１点灯状態と戸開延長登録を明示する第２点灯状態とを有するランプ部を備えた戸開延長釦と、エレベータ制御盤内に設けられ、上記釦接点部の戸開延長信号に基づいて戸開時間を延長する制御手段と、を備えている。そして、上記制御手段は、戸閉動作の開始時、かごの着床時および戸開動作の終了時のいずれかの時点で、上記ランプ部を駆動して第１点灯状態として、上記釦接点部の戸開延長信号の入力可能状態とし、該戸開延長信号の入力可能状態の間に該戸開延長信号を入力すると、上記ランプ部を駆動して第２点灯状態として、戸開時間を延長するように構成されている。
【発明の効果】
【０００７】
この発明によれば、ランプ部を第１点灯状態として、釦接点部の戸開延長信号の入力可能状態としているので、咄嗟の時でも、戸開延長釦の所在を確認でき、確実に戸開延長釦を押すことができる。そこで、荷物の出し入れの最中に、戸閉動作が開始されても、確実に戸開延長でき、戸閉動作による戸と荷物との衝突を確実に回避できる。また、誤って行き先階釦やかご呼び釦を押すことも回避され、不要な行き先階やかご呼びの登録による運転効率の低下を抑制できる。さらに、ランプ部を第２点灯状態として戸開延長の登録を報知するようにしているので、戸開延長の登録が目視確認でき、何度も戸開延長釦を押すような不具合も解消される。
【発明を実施するための最良の形態】
【０００８】
実施の形態１．
図１はこの発明の実施の形態１に係るエレベータの戸開延長装置を模式的に示すブロック図、図２はこの発明の実施の形態１に係るエレベータの戸開延長装置における乗り場釦の構成を示す正面図、図３はこの発明の実施の形態１に係るエレベータの戸開延長装置の動作を説明するフロー図である。
【０００９】
図１および図２において、乗り場操作盤１は、上りのかご呼びを登録するＵＰ釦２と、下りのかご呼びを登録するＤＯＷＮ釦３と、戸開延長釦４と、を備えている。ＵＰ釦２は、閉成してかごのＵＰ呼び信号を出力する釦接点部２ａと、点灯してかごのＵＰ呼び登録を明示するランプ部２ｂと、を備えている。また、ＤＯＷＮ釦３は、閉成してかごのＤＯＷＮ呼び信号を出力する釦接点部３ａと、点灯してかごのＤＯＷＮ呼び登録を明示するランプ部３ｂと、を備えている。さらに、戸開延長釦４は、「開延長」が表面に印字されており、閉成して戸開延長信号を出力する釦接点部４ａと、釦の中央部を点灯して戸開延長釦４の存在を明示し、かつ、釦の周辺部分をも点灯して戸開延長登録を明示するランプ部４ｂと、を備えている。なお、釦の中央部を点灯する状態が戸開延長操作可能状態を明示するランプ部４ｂの第１点灯状態に相当し、釦の中央部に加えて周辺部分をも点灯する状態が戸開延長登録を明示するランプ部４ｂの第２点灯状態に相当する。
エレベータ制御盤５は、エレベータの運行を制御する制御手段としての制御部６と、ランプ部２ｂ、３ｂ、４ｂを点灯駆動するランプ駆動部７と、タイマー部８と、ドアモータ１０を駆動するドア駆動部９と、を備えている。なお、説明の便宜上、制御部６は、乗り場操作盤１の各釦接点部２ａ，３ａ，４ａからの出力信号のみを入力するように示されている。また、制御部６は、ＣＰＵ、メモリを備えたマイクロコンピュータにより構成されている。
【００１０】
ついで、このように構成されたエレベータの戸開延長システムの動作について図３を参照しつつ説明する。なお、図３では、ステップ１００〜ステップ１１２をＳ１００〜Ｓ１１２と示している。
利用者が乗り場にて、ＵＰ釦２又はＤＯＷＮ釦３を押すと、釦接点部２ａ、３ａが閉成し、かごの呼び信号が制御部６に入力される。制御部６は、このかごの呼び信号に基づいてＵＰ釦２およびＤＯＷＮ釦３が押されたか否かを判断する（ステップ１００）。
ステップ１００において、例えばＵＰ釦２が押されたと判断すると、ステップ１０１に移行する。そして、ステップ１０１では、制御部６は、上りのかご呼び登録を行うと同時に、ランプ駆動部７によりランプ部２ｂを点灯させる。これにより、利用者は、かご呼びが登録されたことを目視認識でき、かごの到着を待つ。
【００１１】
ついで、制御部６は、かごが着床したか否かを判断する（ステップ１０２）。そして、かごが着床したと判断されると、ステップ１０３に移行し、ドア駆動部９によりドアモータ１０を駆動し、戸を開放させる。そして、ステップ１０４に移行してランプ２ｂを消灯し、ステップ１０５に移行する。
ステップ１０５では、制御部６は、タイマー部８を作動させ、戸開時間が設定戸開時間に達したか否かを判断する（ステップ１０５）。そして、戸開時間が設定戸開時間に達すると、ステップ１０６に移行し、制御部６は、ドア駆動部９によりドアモータ１０を駆動して戸閉動作を開始し、ステップ１０７に移行する。ステップ１０７では、制御部６は、ランプ駆動部７によりランプ部４ｂを点灯させる。これにより、戸開延長釦４の中央部が点灯し、「開延長」の文字がはっきりと目視確認できるようになる。
【００１２】
ついで、ステップ１０８に移行し、戸が全閉したか否かを判断する。そして、戸が全閉していないと判断されると、釦接点部４ａの閉成による戸開延長信号のモニターを開始する（ステップ１０９）。そして、戸開延長釦４が押されたと判断されると、ステップ１１０に移行し、ランプ駆動部７によりランプ部４ｂを点灯させて、ステップ１１１に移行する。これにより、戸開延長釦４の中央部に加えて周辺部分が点灯し、利用者は、戸開延長が登録されたことを目視確認できる。そして、ステップ１１１では、制御部６は、ドア駆動部９によりドアモータ１０を駆動して戸開動作を開始し、ステップ１０５に移行する。
また、ステップ１０８において、戸開延長釦４が押されることなく、戸が全閉したと判断されると、ステップ１１２に移行し、ランプ部４ｂを消灯し、釦接点部４ａからの戸開延長信号のモニターを停止する。
【００１３】
このように、この実施の形態１によれば、戸閉動作が開始されると、戸開延長釦４の中央部が点灯されるので、利用者が戸開延長釦４の「開延長」の文字をはっきりと目視確認でき、咄嗟の場合でも、戸開延長釦４を確実に押すことができる。そこで、荷物を搬入あるいは搬出している最中に、戸閉動作が始まっても、速やかに戸開させることができ、戸が荷物にぶつかり、荷物の損傷を発生させることを未然に防止できる。さらに、誤ってＵＰ釦２やＤＯＷＮ釦３を押してしまい、不要なかご呼びの登録が行われ、運転効率を低下させることも、未然に防止できる。
また、戸開延長釦４の中央部が点灯された後、戸開延長操作が有効となるように構成されているので、通常時のいたずら押しによる運行効率の低下を避けることができる。
さらに、戸開延長釦４の周辺部分を点灯させて、戸開延長の登録を報知するように構成されているので、利用者が戸開延長の登録を簡易に目視確認でき、何度も戸開延長釦４を押すような不具合も解消される。
【００１４】
実施の形態２．
上記実施の形態１では、戸開延長釦４の戸開延長操作が戸閉動作の開始後に有効となるものとしているが、この実施の形態２では、戸開延長釦４の戸開延長操作が戸開放後に有効となるものである。
【００１５】
この実施の形態２によるエレベータの戸開延長システムの動作について図４を参照しつつ説明する。なお、図４では、ステップ２００〜ステップ２１６をＳ２００〜Ｓ２１６と示している。
利用者が乗り場にて、ＵＰ釦２又はＤＯＷＮ釦３を押すと、釦接点部２ａ、３ａが閉成し、かごの呼び信号が制御部６に入力される。制御部６は、このかごの呼び信号に基づいてＵＰ釦２およびＤＯＷＮ釦３が押されたか否かを判断する（ステップ２００）。
ステップ２００において、例えばＵＰ釦２が押されたと判断すると、ステップ２０１に移行する。そして、ステップ２０１では、制御部６は、上りのかご呼び登録を行うと同時に、ランプ駆動部７によりランプ部２ｂを点灯させる。これにより、利用者は、かご呼びが登録されたことを目視認識できる。
【００１６】
ついで、制御部６は、かごが着床したか否かを判断する（ステップ２０２）。そして、かごが着床したと判断されると、ステップ２０３に移行し、ドア駆動部９によりドアモータ１０を駆動し、戸を開放させる。そして、ステップ２０４に移行してランプ部２ｂを消灯し、ステップ２０５に移行する。
ステップ２０５では、制御部６は、ランプ駆動部７によりランプ部４ｂを点灯させると同時に、釦接点部４ａの閉成による戸開延長信号のモニターを開始する。これにより、戸開延長釦４の中央部が点灯し、「開延長」の文字がはっきりと目視確認できるようになる。ついで、制御部６は、タイマー部８を作動させ、戸開時間が設定戸開時間に達したか否かを判断する（ステップ２０６）。そして、戸開時間が設定戸開時間に達していないと判断されると、ステップ２０７に移行し、戸開延長釦４が押されたか否かを判断する。
【００１７】
そして、制御部６は、戸開延長釦４が押されたと判断されると、ステップ２０８に移行し、ランプ駆動部７によりランプ部４ｂを点灯させる。これにより、戸開延長釦４の中央部に加えて周辺部分が点灯し、利用者は、戸開延長が登録されたことを目視確認できる。ついで、制御部６は、タイマー部８を作動させ、戸開延長時間が設定戸開延長時間に達したか否かを判断する（ステップ２０９）。そして、戸開延長時間が設定戸開延長時間に達したと判断されると、ステップ２１０に移行する。ステップ２１０では、制御部６は、ドア駆動部９によりドアモータ１０を駆動し、戸閉動作を開始する。そして、制御部６は、戸が全閉したか否かを判断し（ステップ２１１）、戸が全閉したと判断すると、ランプ部４ｂを消灯し（ステップ２１２）、釦接点部４ａからの戸開延長信号のモニターを停止する。
【００１８】
また、ステップ２０６において、戸開延長釦４が押されることなく、戸開時間が設定戸開時間に達すると、ステップ２１３に移行し、ドア駆動部９によりドアモータ１０を駆動し、戸閉動作を開始する。そして、ステップ２１４に移行し、制御部６は、戸が全閉したか否かを判断する。そして、戸が全閉していないと判断されると、ステップ２１５に移行し、戸開延長釦４が押されたか否かを判断する。ついで、戸開延長釦４が押されたと判断されると、ステップ２１６に移行し、ドア駆動部９によりドアモータ１０を駆動し、戸を開放させて、ステップ２０８に移行する。
また、ステップ２１４において、戸開延長釦４が押されることなく、戸が全閉したと判断されると、ステップ２１２に移行する。
【００１９】
このように、この実施の形態２によれば、戸開動作が開始されると、戸開延長釦４の中央部が点灯されるので、利用者が戸開延長釦４の「開延長」の文字をはっきりと目視確認でき、戸開延長釦４を確実に押すことができる。そこで、乗り場にて予め戸開時間を延長することができ、荷物を搬入あるいは搬出している最中に、戸閉動作が始まることを未然に防止できる。さらに、誤ってＵＰ釦２やＤＯＷＮ釦３を押してしまい、不要なかご呼びの登録が行われ、運転効率を低下させることも、未然に防止できる。
また、戸開延長釦４の中央部が点灯された後、戸開延長操作が有効となるように構成されているので、通常時のいたずら押しによる運行効率の低下を避けることができる。
さらに、戸開延長釦４の周辺部分を点灯させて、戸開延長の登録を報知するように構成されているので、利用者が戸開延長の登録を簡易に目視確認でき、何度も戸開延長釦４を押すような不具合も解消される。
【００２０】
なお、上記実施の形態２では、戸開延長釦４の戸開延長操作が戸開放後に有効となるものとしているが、戸開延長釦４の戸開延長操作がかごの着床後に有効となるようにしてもよい。
また、上記実施の形態１，２では、乗り場操作盤に適用するものとしているが、かご内操作盤に適用してもよい。
また、上記実施の形態１，２では、ランプ部４ｂの第１点灯状態で釦の中央部を点灯するようにし、第２点灯状態で釦の中央部に加えて周辺部分をも点灯するようにするものとしているが、ランプ部４ｂの第１点灯状態で釦の全体を点灯するようにし、第２点灯状態で釦の全体を点滅するようにしてもよい。
【００２１】
実施の形態３．
図５はこの発明の実施の形態３に係るエレベータの戸開延長装置を模式的に示すブロック図、図６はこの発明の実施の形態３に係るエレベータの戸開延長装置における乗り場釦の動作モードを示す正面図であり、図６の（ａ）は通常モードを示し、図６の（ｂ）は戸開延長モードを示している。図７はこの発明の実施の形態３に係るエレベータの戸開延長装置の動作を説明するフロー図である。
【００２２】
図５および図６において、乗り場操作盤１Ａは、上りのかご呼びを登録する操作釦としてのＵＰ釦１２と、下りのかご呼びを登録する操作釦としてのＤＯＷＮ釦１３と、を備えている。ＵＰ釦１２およびＤＯＷＮ釦１３は、釦接点部１２ａ，１３ａと、表示部１２ｂ，１３ｂと、備えている。表示部１２ｂ，１３ｂには、例えば、液晶表示装置が用いられ、表示駆動部１１により駆動されて、ＵＰ表示およびＤＯＷＮ表示の矢印表示（かご呼び表示）と、「開延長」表示（戸開延長表示）と、を切り替え表示でき、かつ、表示色を切り換えられるようになっている。そして、ＵＰ釦１２およびＤＯＷＮ釦１３は、「開延長」表示が表示されている場合には、戸開延長釦１４として機能する。
エレベータ制御盤５Ａは、エレベータの運行を制御する制御手段としての制御部６Ａと、表示部１２ｂ、１３ｂの表示および表示色を切り換える表示駆動部１１と、タイマー部８と、ドアモータ１０を駆動するドア駆動部９と、を備えている。なお、説明の便宜上、制御部６Ａは、乗り場操作盤１Ａの各釦接点部１２ａ，１３ａからの出力信号のみを入力するように示されている。また、制御部６Ａは、ＣＰＵ、メモリを備えたマイクロコンピュータにより構成されている。
【００２３】
ついで、このように構成されたエレベータの戸開延長システムの動作について図７を参照しつつ説明する。なお、図７では、ステップ３００〜ステップ３１２をＳ３００〜Ｓ３１２と示している。
まず、ＵＰ釦１２およびＤＯＷＮ釦１３の表示部１２ｂ、１３ｂは、表示駆動部１１により、図６の（ａ）に示されるように、黒色の矢印が表示されている。
ついで、利用者が乗り場にて、ＵＰ釦１２又はＤＯＷＮ釦１３を押すと、釦接点部１２ａ、１３ａが閉成し、かごの呼び信号が制御部６Ａに入力される。制御部６Ａは、このかごの呼び信号に基づいてＵＰ釦１２およびＤＯＷＮ釦１３が押されたか否かを判断する（ステップ３００）。
ステップ３００において、例えばＵＰ釦１２が押されたと判断すると、ステップ３０１に移行する。そして、ステップ３０１では、制御部６Ａは、上りのかご呼び登録を行うと同時に、表示駆動部１１により表示部１２ｂの矢印表示を赤色表示に切り換える。これにより、利用者は、かご呼びが登録されたことを目視認識でき、かごの到着を待つ。
【００２４】
ついで、制御部６Ａは、かごが着床したか否かを判断する（ステップ３０２）。そして、かごが着床したと判断されると、ステップ３０３に移行し、ドア駆動部９によりドアモータ１０を駆動し、戸を開放させる。そして、ステップ３０４に移行して、矢印表示を黒色表示に切り替え、ステップ３０５に移行する。
ステップ３０５では、制御部６Ａは、タイマー部８を作動させ、戸開時間が設定戸開時間に達したか否かを判断する（ステップ３０５）。そして、戸開時間が設定戸開時間に達すると、ステップ３０６に移行し、制御部６Ａは、ドア駆動部９によりドアモータ１０を駆動して戸閉動作を開始し、ステップ３０７に移行する。ステップ３０７では、制御部６Ａは、表示駆動部１１により表示部１２ｂの表示を矢印表示から黒色表示の開延長表示に切り換える。これにより、図６の（ｂ）に示されるように、ＵＰ釦１２が戸開延長釦１４に切り換えられ、「開延長」の文字がはっきりと目視確認できるようになる。
【００２５】
ついで、ステップ３０８に移行し、戸が全閉したか否かを判断する。そして、戸が全閉していないと判断されると、釦接点部１２ａの閉成による戸開延長信号のモニターを開始する（ステップ３０９）。そして、戸開延長釦１４が押されたと判断されると、ステップ３１０に移行し、開延長表示を赤色表示に切り替え、ステップ３１１に移行する。これにより、開延長表示が赤色表示となり、利用者は、戸開延長が登録されたことを目視確認できる。そして、ステップ３１１では、制御部６Ａは、ドア駆動部９によりドアモータ１０を駆動して戸開動作を開始し、ステップ３０５に移行する。
また、ステップ３０８において、戸開延長釦１４が押されることなく、戸が全閉したと判断されると、ステップ３１２に移行し、表示部１２ｂの開延長表示を矢印表示に切り換え、戸開延長信号のモニターからかごの呼び信号のモニターに切り換える。
【００２６】
このように、この実施の形態３によれば、戸閉動作が開始されると、ＵＰ釦１２又はＤＯＷＮ釦１３の矢印表示が開延長表示に切り換えられるので、利用者が戸開延長釦１４の「開延長」の文字をはっきりと目視確認でき、咄嗟の場合でも、戸開延長釦１４を確実に押すことができる。そこで、荷物を搬入あるいは搬出している最中に、戸閉動作が始まっても、速やかに戸開させることができ、戸が荷物にぶつかり、荷物の損傷を発生させることを未然に防止できる。さらに、誤って矢印表示しているＵＰ釦１２やＤＯＷＮ釦１３を押してしまい、不要なかご呼びの登録が行われ、運転効率を低下させることも、未然に防止できる。
また、開延長が表示された後、戸開延長操作が有効となるように構成されているので、通常時のいたずら押しによる運行効率の低下を避けることができる。
【００２７】
さらに、戸開延長釦１４の開延長表示を黒色表示から赤色表示に切り換えて、戸開延長の登録を報知するように構成されているので、利用者が戸開延長の登録を簡易に目視確認でき、何度も戸開延長釦１４を押すような不具合も解消される。
さらにまた、ＵＰ釦１２又はＤＯＷＮ釦１３の矢印表示を開延長表示に切り換えて、開延長表示に切り換えられたＵＰ釦１２又はＤＯＷＮ釦１３を戸開延長釦１４として機能させているので、釦の数が減り、乗り場操作盤１Ａの構成が簡素化される。
【００２８】
実施の形態４．
上記実施の形態３では、戸開延長釦１４の戸開延長操作が戸閉動作の開始後に有効となるものとしているが、この実施の形態４では、戸開延長釦１４の戸開延長操作が戸開放後に有効となるものである。
【００２９】
この実施の形態４によるエレベータの戸開延長システムの動作について図８を参照しつつ説明する。なお、図８では、ステップ４００〜ステップ４１５をＳ４００〜Ｓ４１５と示している。
利用者が乗り場にて、ＵＰ釦１２又はＤＯＷＮ釦１３を押すと、釦接点部１２ａ、１３ａが閉成し、かごの呼び信号が制御部６Ａに入力される。制御部６Ａは、このかごの呼び信号に基づいてＵＰ釦１２およびＤＯＷＮ釦１３が押されたか否かを判断する（ステップ４００）。
ステップ４００において、例えばＵＰ釦１２が押されたと判断すると、ステップ４０１に移行する。そして、ステップ４０１では、制御部６Ａは、上りのかご呼び登録を行うと同時に、表示駆動部１１により表示部１２ｂの矢印表示を黒色表示から赤色表示に切り換える。これにより、利用者は、かご呼びが登録されたことを目視認識できる。
【００３０】
ついで、制御部６Ａは、かごが着床したか否かを判断する（ステップ４０２）。そして、かごが着床したと判断されると、ステップ４０３に移行し、ドア駆動部９によりドアモータ１０を駆動し、戸を開放させる。そして、ステップ４０４に移行して、表示部１２ｂの矢印表示を黒色表示の開延長表示に切り替え、ステップ４０５に移行する。これにより、ＵＰ釦１２が戸開延長釦１４に切り換えられ、「開延長」の文字がはっきりと目視確認できるようになる。
ステップ４０５では、制御部６Ａは、タイマー部８を作動させ、戸開時間が設定戸開時間に達したか否かを判断する。そして、戸開時間が設定戸開時間に達していないと判断されると、ステップ４０６に移行し、戸開延長釦１４が押されたか否かを判断する。
【００３１】
そして、制御部６Ａは、戸開延長釦１４が押されたと判断されると、ステップ４０７に移行し、表示駆動部１１により表示部１２ｂの開延長表示を黒色表示から赤色表示に切り換える。これにより、利用者は、戸開延長が登録されたことを目視確認できる。ついで、制御部６Ａは、タイマー部８を作動させ、戸開延長時間が設定戸開延長時間に達したか否かを判断する（ステップ４０８）。そして、戸開延長時間が設定戸開延長時間に達したと判断されると、ステップ４０９に移行する。ステップ４０９では、制御部６Ａは、ドア駆動部９によりドアモータ１０を駆動し、戸閉動作を開始する。そして、制御部６Ａは、戸が全閉したか否かを判断し（ステップ４１０）、戸が全閉したと判断すると、開延長表示を矢印表示に切り替え（ステップ４１１）、戸開延長信号のモニターをかごの呼び信号のモニターに切り換える。
【００３２】
また、ステップ４０５において、戸開延長釦１４が押されることなく、戸開時間が設定戸開時間に達すると、ステップ４１２に移行し、ドア駆動部９によりドアモータ１０を駆動し、戸閉動作を開始する。そして、ステップ４１３に移行し、制御部６Ａは、戸が全閉したか否かを判断する。そして、戸が全閉していないと判断されると、ステップ４１４に移行し、戸開延長釦１４が押されたか否かを判断する。ついで、戸開延長釦１４が押されたと判断されると、ステップ４１５に移行し、ドア駆動部９によりドアモータ１０を駆動し、戸を開放させて、ステップ４０７に移行する。
また、ステップ４１３において、戸開延長釦１４が押されることなく、戸が全閉したと判断されると、ステップ４１１に移行する。
【００３３】
このように、この実施の形態４によれば、戸開動作が開始されると、ＵＰ釦１２又はＤＯＷＮ釦１３の矢印表示が開延長表示に切り換えられるので、利用者が戸開延長釦１４の「開延長」の文字をはっきりと目視確認でき、戸開延長釦１４を確実に押すことができる。そこで、乗り場にて予め戸開時間を延長することができ、荷物を搬入あるいは搬出している最中に、戸閉動作が始まることを未然に防止できる。さらに、誤って矢印表示のＵＰ釦１２やＤＯＷＮ釦１３を押してしまい、不要なかご呼びの登録が行われ、運転効率を低下させることも、未然に防止できる。
また、ＵＰ釦１２又はＤＯＷＮ釦１３の矢印表示が開延長表示に切り換えられた後、戸開延長操作が有効となるように構成されているので、通常時のいたずら押しによる運行効率の低下を避けることができる。
【００３４】
さらに、戸開延長釦１４の開延長表示を黒色表示から赤色表示に切り換えて、戸開延長の登録を報知するように構成されているので、利用者が戸開延長の登録を簡易に目視確認でき、何度も戸開延長釦１４を押すような不具合も解消される。
さらにまた、ＵＰ釦１２又はＤＯＷＮ釦１３の矢印表示を開延長表示に切り換えて、開延長表示に切り換えられたＵＰ釦１２又はＤＯＷＮ釦１３を戸開延長釦１４として機能させているので、釦の数が減り、乗り場操作盤１Ａの構成が簡素化される。
【００３５】
なお、上記実施の形態３，４では、表示部１２ｂ、１３ｂの表示色を切り換えてかごの呼びや開延長の登録を報知するものとしているが、表示部１２ｂ、１３ｂの表示モードの変更はこれに限定されるものではなく、表示部１２ｂ、１３ｂの表示の輝度を切り換えてかごの呼びや開延長の登録を報知するようにしてもよいし、表示部１２ｂ、１３ｂの表示を点灯表示から点滅表示に切り換えてかごの呼びや開延長の登録を報知するようにしてもよい。
また、上記実施の形態４では、戸開延長釦４の戸開延長操作がかごの着床後に有効となるものとしているが、戸開延長釦４の戸開延長操作がかごの着床後に有効となるようにしてもよい。
また、上記実施の形態３，４では、乗り場操作盤に適用するものとしているが、かご内操作盤に適用してもよい。この場合、行き先階釦に戸開延長釦の機能を付加すればよい。そして、行き先階表示と戸開延長表示とを切り替え表示できるように表示部を構成すればよい。
【図面の簡単な説明】
【００３６】
【図１】この発明の実施の形態１に係るエレベータの戸開延長装置を模式的に示すブロック図である。
【図２】この発明の実施の形態１に係るエレベータの戸開延長装置における乗り場釦の構成を示す正面図である。
【図３】この発明の実施の形態１に係るエレベータの戸開延長装置の動作を説明するフロー図である。
【図４】この発明の実施の形態２に係るエレベータの戸開延長装置の動作を説明するフロー図である。
【図５】この発明の実施の形態３に係るエレベータの戸開延長装置を模式的に示すブロック図である。
【図６】この発明の実施の形態３に係るエレベータの戸開延長装置における乗り場釦の動作モードを示す正面図である。
【図７】この発明の実施の形態３に係るエレベータの戸開延長装置の動作を説明するフロー図である。
【図８】この発明の実施の形態４に係るエレベータの戸開延長装置の動作を説明するフロー図である。
【符号の説明】
【００３７】
１，１Ａ  乗り場操作盤、４  戸開延長釦、４ａ  釦接点部、４ｂ  ランプ部、５，５Ａ  エレベータ制御盤、６，６Ａ  制御部（制御手段）、１２  ＵＰ釦（操作釦）、１２ａ  釦接点部、１２ｂ  表示部、１３  ＤＯＷＮ釦（操作釦）、１３ａ  釦接点部、１３ｂ  表示部、１４  戸開延長釦。
【図１】
2006168944.tif 000003
【図２】
2006168944.tif 000004
【図３】
2006168944.tif 000005
【図４】
2006168944.tif 000006
【図５】
2006168944.tif 000007
【図６】
2006168944.tif 000008
【図７】
2006168944.tif 000009
【図８】
2006168944.tif 000010